(57)【要約】  割り当てがアクセスノード（“ＡＮ”）によりデコードされないとき、割り当ての即座の再送信を提供することにより通信を容易にするシステムおよび方法を記述する。１つの実施形態において、ＡＴに対する割り当てを即座に再送信することができ、割り当てが受信されたこと“はい”、または割り当てが受信されなかったこと“いいえ”をＡＴが示す必要性を緩和する。したがって、ＡＮが割り当てをデコードしない場合、割り当てが再送信され、リクエストの待ち時間をなくすことができる。【選択図】      図２
2008547280.tif 000002
【特許請求の範囲】
【請求項１】
ワイヤレス通信ネットワーク中でリンク割り当てを容易にする方法において、
リクエストに応答して、アクセスノード（ＡＮ）により割り当てを供給することと、
新しいリクエストを要求されることなく、前記割り当てを再送信することとを含む方法。
【請求項２】
リバースリンクに対する前記割り当てを送信することをさらに含む請求項１記載の方法。
【請求項３】
前記ＡＮによる前記割り当てにおけるデコードが失敗したときに、即座に前記割り当てを再送信することをさらに含む請求項１記載の方法。
【請求項４】
パケットが受信されないとき、割り当てに対するリクエストを有効にすることをさらに含む請求項１記載の方法。
【請求項５】
前記割り当ての正しい受信に対する確認を示すために、リバースリンク上でのパッケージのデコーディングをさらに含む請求項１記載の方法。
【請求項６】
リバースリンクトラフィックをサポートするフォワードリンク上で肯定応答メッセージ（ＡＣＫ）が送信されないとき、リバースリンクに対してＭＡＣロジックを維持することをさらに含む請求項１記載の方法。
【請求項７】
前記割り当てが再送信される回数に、予め定められた制限を設定することをさらに含む請求項1記載の方法。
【請求項８】
割り当て解除メッセージを送信して、前記割り当てを再送信することを中止することをさらに含む請求項１記載の方法。
【請求項９】
スティッキー割り当てに関して、割り当て肯定応答メッセージに対する必要性をなくすことをさらに含む請求項１記載の方法。
【請求項１０】
前記再送信する動作により、前記ＡＮと移動デバイスとを再同期させることをさらに含む請求項１記載の方法。
【請求項１１】
リンク割り当てを容易にする装置において、
チャネル割り当てを許可する手段と、
前記チャネル割り当てを送信する手段と、
前記チャネル割り当てを即座に再送信する手段とを具備する装置。
【請求項１２】
リクエストを受信する手段をさらに具備する請求項１１記載の装置。
【請求項１３】
前記チャネル割り当てを即座に再送信する手段は、新しいリクエストを受信することなく、前記チャネル割り当てを再送信する手段をさらに備える請求項１１記載の装置。
【請求項１４】
リバースリンクに対して前記割り当てを供給する手段をさらに具備する請求項１１記載の装置。
【請求項１５】
予め定められた回数にわたって前記チャネル割り当てを再送信する際に、別のリソースを選択する手段をさらに具備する請求項１１記載の装置。
【請求項１６】
ＡＮが前記割り当てにおいてデコードするかどうかを決定する手段をさらに具備する請求項１２記載の装置。
【請求項１７】
前記割り当てが再送信される予め定められた回数を設定する手段をさらに具備する請求項１５記載の装置。
【請求項１８】
スティッキー割り当てを割り当てる手段をさらに具備する請求項１１記載の装置。
【請求項１９】
ユーザの割り当て解除を推測する手段をさらに具備する請求項１１記載の装置。
【請求項２０】
割り当てを再送信することを中止する手段をさらに具備する請求項１１記載の装置。
【請求項２１】
リンク割り当てを容易にする通信システムにおいて、
ＡＮにより供給される割り当てに基づいて、リバースリンク上でユーザをスケジュールするスケジューラ構成部品と、
前記ＡＮにより受信される新しいリクエストなく、割り当ての即座の再送信を供給する割り当て構成部品とを具備する通信システム。
【請求項２２】
スティッキー割り当てを割り当てるスティッキー構成部品をさらに具備する請求項２１記載の通信システム。
【請求項２３】
デクリメントすべきユーザを識別するデクリメント構成部品をさらに具備する請求項２１記載の通信システム。
【請求項２４】
リンク割り当てを容易にする人工知能構成部品をさらに具備する請求項２１記載の通信システム。
【請求項２５】
以下の命令を実行するように構成されているプロセッサにおいて、
ＡＮによりリンク割り当てリクエストを受信する命令と、
前記ＡＮにより割り当てを送信する命令と、
前記割り当てはＡＮにおいてデコードされていなく、
前記ＡＮによりリクエストが受信されることなく、前記ＡＮにより前記割り当てをもう一度送信する命令とを実行するように構成されているプロセッサ。
【請求項２６】
リバースリンクトラフィックをサポートするフォワードリンク上で、肯定応答メッセージ（ＡＣＫ）が存在しないとき、リバースリンクに対してＭＡＣロジックを維持することを実行するようにさらに構成されている請求項２５記載のプロセッサ。
【請求項２７】
割り当て解除メッセージを送信することを実行して前記割り当ての送信を停止するようにさらに構成されている請求項２５記載のプロセッサ。
【請求項２８】
前記割り当てをデクリメントすることを実行するようにさらに構成されている請求項２５記載のプロセッサ。
【請求項２９】
もう一度前記割り当てを送信することに関連して、スティッキー割り当てを実現することを実行するようにさらに構成されている請求項２５記載のプロセッサ。
【請求項３０】
記憶された機械実行可能命令を有する機械読み取り可能媒体において、
前記機械実行可能命令は、
リクエストに応答して、アクセスノード（ＡＮ）により割り当てを供給する命令と、
新しいリクエストを要求されることなく、前記割り当てを再送信する命令とである機械読み取り可能媒体。
【請求項３１】
リバースリンクに対する前記割り当てを送信する機械実行可能命令をさらに具備する請求項３０記載の機械読み取り可能媒体。
【請求項３２】
前記ＡＮによる前記割り当てにおけるデコードが失敗したときに、即座に前記割り当てを再送信する機械実行可能命令をさらに具備する請求項３０記載の機械読み取り可能媒体。
【請求項３３】
パケットが受信されないとき、割り当てに対するリクエストを有効にする機械実行可能命令をさらに具備する請求項３０記載の機械読み取り可能媒体。
【請求項３４】
前記割り当ての正しい受信に対する確認を示すために、リバースリンク上でのパッケージのデコーディングをする機械実行可能命令をさらに具備する請求項３０記載の機械読み取り可能媒体。
【請求項３５】
リバースリンクトラフィックをサポートするフォワードリンク上で肯定応答メッセージ（ＡＣＫ）が送信されないとき、リバースリンクに対してＭＡＣロジックを維持する機械実行可能命令をさらに具備する請求項３０記載の機械読み取り可能媒体。
【請求項３６】
前記割り当てが再送信される回数に、予め定められた制限を設定する機械実行可能命令をさらに具備する請求項３０記載の機械読み取り可能媒体。
【請求項３７】
割り当て解除メッセージを送信して、前記割り当てを再送信することを中止する機械実行可能命令をさらに具備する請求項３０記載の機械読み取り可能媒体。
【請求項３８】
スティッキー割り当てに関して、割り当て肯定応答メッセージに対する必要性をなくす機械実行可能命令をさらに具備する請求項３０記載の機械読み取り可能媒体。
【請求項３９】
前記再送信する動作により、前記ＡＮと移動デバイスとを再同期させる機械実行可能命令をさらに具備する請求項３０記載の機械読み取り可能媒体。
【請求項４０】
ワイヤレス通信装置において、
リバースリンク通信に関係付けられたチャネル割り当てに関連したデータを保持するメモリと、
リクエストに応答して、アクセスノードにより割り当てを供給することと、新しいリクエストを要求されることなく、前記割り当てを再送信することを可能にするプロセッサとを具備するワイヤレス通信装置。
【請求項４１】
前記プロセッサはさらに、予め定められた回数にわたって前記割り当てを再送信する請求項４０記載のワイヤレス通信装置。
【請求項４２】
前記プロセッサはさらに、スティッキー割り当てを割り当てる請求項４０記載のワイヤレス通信装置。
【請求項４３】
前記プロセッサはさらに、前記割り当てを再送信することを停止する請求項４０記載のワイヤレス通信装置。
【請求項４４】
前記プロセッサはさらに、前記割り当てを再送信することによりＡＮと移動デバイスとを再同期させる請求項４０記載のワイヤレス通信装置。
【発明の詳細な説明】
【合衆国法典第３５部第１１９条に基づく優先権の主張】
【０００１】
本出願は、２００５年６月１６日に出願され、この出願の譲受人に譲渡され、参照により明白にここに組み込まれている“割り当て肯定応答メッセージの代わりに、リンク割り当てメッセージを使用する方法および装置”と題する米国仮特許出願第６０／６９１，７０３号の利益を主張する。
【背景】
【０００２】
Ｉ．分野
以下の記述は一般にワイヤレス通信に関し、さらに詳細には、ワイヤレス通信環境における効率的なリンク割り当てに関する。
【０００３】
ＩＩ．背景
ワイヤレス通信システムは広く行きわたっている手段になり、ワイヤレス通信システムにより、世界中の大多数の人が通信するようになっている。消費者の要求を満たし、携帯性および利便性を改善するために、ワイヤレス通信デバイスは、より小さく、より強力になっている。セルラ電話機のような移動デバイスにおける処理力の増加により、ワイヤレスネットワーク送信システムに関して需要の増大に至っている。このようなシステムは通常、そこに対して通信するセルラデバイスほど容易には更新されない。移動デバイスの能力が拡張するとき、新規で、改良されたワイヤレスデバイス能力をフルに活用することを容易にする方法で、より古いワイヤレスネットワークシステムを維持することが困難であることがある。
【０００４】
より詳細には、周波数分割ベースの技術は通常、周波数を一様なチャンクの帯域幅に分割することにより、スペクトルを別個のチャネルに分離し、例えば、ワイヤレス通信のために割り当てられた周波数帯域の分割は、３０チャネルに分割でき、３０チャネルのそれぞれは、音声会話を搬送でき、またはデジタルサービスによりデジタルデータを搬送できる。同時にたった１人のユーザにそれぞれのチャネルを割り当てることができる。１つの知られている変形は直交周波数分割技術であり、直交周波数分割技術は効率的に、システム全体の帯域幅を複数の直交副帯域に分割する。これらの副帯域は、トーン、搬送波、副搬送波、ビンズ、および／または周波数チャネルとも呼ばれている。それぞれの副帯域は、データにより変調できる副搬送波に関係付けられている。時分割ベースの技術により、帯域は、時間に関して、連続したタイムスライス、すなわちタイムスロットに分割される。チャネルのそれぞれのユーザには、ラウンドロビン方式で情報を送信および受信するためのタイムスライスが提供される。例えば、任意の所定の時間ｔにおいて、ユーザには短いバース用のチャネルに対するアクセスが提供される。次に、アクセスは別のユーザに切り換えられ、別のユーザには情報を送信および受信するための短いバーストの時間が提供される。“交替で実行される”サイクルが継続し、最終的にそれぞれのユーザには複数の送信および受信バーストが提供される。
【０００５】
コード分割ベースの技術は通常、ある範囲の任意の時間に利用できる多数の周波数にわたってデータを送信する。一般に、データはデジタル化されて、利用できる周波数にわたって拡散され、複数のユーザをチャネルに重ね合わせることができ、一意的なシーケンスコードをそれぞれのユーザに割り当てることができる。ユーザは、同じ広さの帯域チャンクのスペクトルで送信でき、そこでそれぞれのユーザの信号は、信号のそれぞれの一意的な拡散コードにより帯域幅全体にわたって拡散される。この技術は、共用をもたらすことができ、１人以上のユーザが同時に送信および受信できる。スペクトル拡散デジタル変調を通して、このような共用を達成でき、ユーザのビットのストリームはコード化されて、疑似ランダム様式で非常に広いチャネルにわたって拡散される。受信機は、関係付けられた一意的なシーケンスコードを認識するように設計され、コヒーレントな方法で特定のユーザに対するビットを集めるためにランダム化を元に戻す。
【０００６】
（例えば、周波数、時、およびコード分割技術を用いる）典型的なワイヤレス通信ネットワークは、カバレッジエリアを提供する１つ以上の基地局、およびカバレッジエリア内でデータを送信および受信できる１つ以上の移動（例えば、ワイヤレス）端末を含む。ブロードキャスト、マルチキャスト、および／またはユニキャストサービスのために、典型的な基地局は同時に複数のデータストリームを送信でき、ここでデータストリームは、移動端末にとって関心がある、独立した受信とすることができるデータのストリームである。その基地局のカバレッジエリア内にある移動端末は、複合ストリームにより搬送される、１つの、１つより多い、またはすべてのデータストリームを受信することに関心があるかもしれない。同様に、移動端末は、基地局または別の移動端末にデータを送信できる。基地局と移動端末との間の、または移動端末間のこのような通信は、チャネル変動および／または干渉電力変動により、劣化することがある。
【０００７】
さらに、（例えば、割り当てが解除されるまで、割り当てが保持されるような）スティッキー割り当てを使用するシステムに対して、リンク割り当てメッセージが確実に配信されることが重要であり、さもなければ受信機は、どのチャネルを復調したらよいかわからず、それゆえに、受信機に向けられたパケットをデコードできない。システムは一般に割り当て肯定応答メッセージを用いて、割り当てメッセージの受信／非受信を確認する。しかしながら、そのような割り当て肯定応答を送信することは、時間と電力の両方を浪費することがあり、一般的には、決して十分に信頼性のあるものではない。他のシステムはスティッキーでない割り当てを使用し、この場合、割り当ての頻繁な満了は、時折の割り当てエラーに対して、いくつかの保護をもたらす。しかし、多くの場合に、スティッキー割り当てを用いないことは、可能でないことがある。
【０００８】
それゆえに、システムスループットを改善し、ユーザの経験を高めるために、効率的なスケジューリングを容易にするシステムおよび方法に対する必要性が技術的に存在する。
【概要】
【０００９】
１つ以上の実施形態の基本的な理解を提供するために、このような実施形態の単純化した概要を以下に提示する。この概要は、すべての熟考された実施形態の、広範囲にわたる概観ではなく、すべての実施形態の重要な、またはクリティカルな要素を識別しないように、また、いくつかのまたはすべての実施形態の範囲を詳細に描写しないように意図されている。その唯一の目的は、後に提示されるより詳細な記述に対する前置きとして、単純化した形態中で１つ以上の実施形態のいくつかの概念を提示することである。
【００１０】
アクセスノード（“ＡＮ”）が割り当てにおいてデコードしないとき、割り当ての即座の再送信を行うことにより、通信を容易にするシステムおよび方法を本主題のイノベーションは提供する。一般に、リバースリンクにおいて割り当てが送られていて、“ＡＮ”が首尾よく割り当てをデコードする場合、このようなデコーディングは肯定応答信号（例えば割り当て肯定応答信号“ＡＣＫ”）として機能できる。代わりに、割り当てにおいてデコードできない場合は、一般に、デコードに失敗しているのかどうか、またはアクセス端末（ＡＴ）が割り当てを取り損なっているのかどうかを明瞭に示さず、それゆえに、本主題のイノベーションの１つの実施形態は、即座に割り当ての再送信を行う。割り当てが受信されたこと“はい”、または割り当てが受信されなかったこと“いいえ”をＡＴが示す必要性をこのようなものは緩和する。したがって、ＡＮが割り当てにおいてデコードしない場合、そのような割り当ては再送信され（例えば、ＡＮによる割り当てにおけるデコードが失敗したときに、即座に割り当てを再送信する）、リクエストの待ち時間をなくすことができる。
【００１１】
関連した実施形態において、（例えば、ネットワーク中で作動するリバースリンクスケジューラに対して）送信すべきデータ量および必要とするサービスの質を指定する、ＡＴによるリクエストメッセージに応答して、ＡＮはリバースリンクに割り当てを提供できる。パケットが受信されないとき、リクエストがまだ有効であることをシステムは仮定し（例えば、どのパケットも受信されていないのにリクエストを有効にする）、新しいリクエストが要求されることなく、新しい割り当てを即座に送信する。したがって、全く同一の割り当てを再度割り当てることにより、“ＡＴ”が別のリクエストを実施することに対する必要性が緩和される。同時に、リバースリンク上でのパッケージの適正な“ＡＮ”デコーディングは、そのような割り当てが正しく受信された確認としての機能を果たすことができ、その時点で、ＡＮがそのような割り当てにおいてデコードに失敗する場合、割り当ての再送信は、もはや必要ではなくなっている。
【００１２】
さらなる実施形態にしたがうと、リバースリンクトラフィックをサポートするフォワードリンク上で（例えば、肯定応答信号）“Ａｃｋ”を送信すべきことが必要とされないシステムにおいて、本主題のイノベーションは、リバースリンク割り当てに対して媒体アクセス制御（ＭＡＣ）ロジックを維持するメカニズムを容易にする。関連した実施形態において、ＡＴがデータを送信するために割り当てを要求するとき、ＡＮは割り当てを返信し（ＡＮはデコードする、関係付けられたパケットをまだ受信していない）、本主題のイノベーションは、割り当てが再送信される回数に制限を設定できる。したがって、再送信のための予め定められた数の試行の際に、別のリソースを次に選択できる。さらに、割り当てリクエストを停止するために、割り当て解除メッセージをＡＴに送信することもできる。
【００１３】
関連した実施形態において、本主題のイノベーションは通常、スティッキー割り当てに関して割り当て肯定応答メッセージに対する必要性をなくすことができるが、そのようなメッセージは貴重なリソースを利用する。例えば、ＲＬにおいて、ＡＮがパケットをデコードする場合、割り当て肯定応答メッセージの補助なしで、移動ユニット（例えば、ユーザデバイス）が割り当てを受信していることをＡＮは認識する。代わりに、ＡＮが、無効にされた割り当てにおいてパケットのデコードに失敗する場合、ＡＮは割り当てメッセージを再送信する。このような移動ユニットが割り当てを全く取り損なう場合、ＡＮは通常、実際に割り当てメッセージを再送信する必要があり、それゆえに、このような送信は追加の負担ではなく、追加のリソースを消費しない。同様に、ＡＮがチャネル不良のためデコードに失敗する場合、再送信される割り当てメッセージは、パケットを再送信するための移動ユニットに対する表示として機能を果たすことができる。同様に、パケットの開始（ＳＯＰ）が取り損なわれているためＡＮがデコードに失敗する場合、再送信される割り当てメッセージは、ＡＮと移動ユニットとを同期させる。さらに、本主題のイノベーションの観点を実行するために、ソフトウェア／ハードウェア構成部品の形態で、さまざまな動作／方法を実行する手段を提供できる。
【００１４】
前述の、および関連する目的の達成のために、１つ以上の実施形態は、以下で十分に記述した特徴および特許請求の範囲で特に指摘した特徴を備える。以下の記述および添付の図面は、１つ以上の実施形態の、ある実例的な観点を詳細に示す。これらの観点は、さまざまな実施形態の原理を用いることができるいくつかのさまざまな方法を示すが、記述した実施形態は、すべてのこのような観点およびそれらの均等物を含むように意図されている。
【詳細な説明】
【００１５】
図面に対する参照とともに、さまざまな実施形態をこれから記述し、同じ参照番号は、全体を通して同じ要素に言及するために使用される。以下の記述において、説明のため、１つ以上の実施形態の完全な理解を提供するために、多数の特定の詳細な説明を述べる。しかしながら、これらの特定の詳細な説明なしに、そのような実施形態を実施できることは明白であるかもしれない。他の例において、１つ以上の実施形態を記述することを容易にするために、よく知られている構造およびデバイスをブロック図の形態で示す。
【００１６】
本出願中で使用されるような、用語“構成部品”、“システム”、およびこれらに類似するものは、コンピュータ関連エンティティ、ハードウェア、ソフトウェア、実行中のソフトウェア、ファームウェア、ミドルウェア、マイクロコード、および／またはこれらの任意の組み合わせに関係するように意図されている。例えば、構成部品はプロセッサ上で実行するプロセス、プロセッサ、オブジェクト、実行ファイル、実行のスレッド、プログラム、および／またはコンピュータであってもよいが、それだけに限られない。１つ以上の構成部品が１つのプロセスおよび／または実行のスレッド内に存在してもよく、構成部品が１つのコンピュータ上にローカライズされてもよく、および／または２つ以上のコンピュータ間に分散されてもよい。また、これらの構成部品は、記憶されたさまざまなデータ構造を有するさまざまなコンピュータ読み取り可能媒体から実行することができる。構成部品は、１つ以上のデータパケット（例えば、ローカルシステム中の、分散システム中の別の構成部品と相互に対話する、および／またはインターネットのようなネットワークを通して、信号により他のシステムと相互に対話する、１つの構成部品からのデータ）を有する信号にしたがうような、ローカルおよび／またはリモートプロセスを通して通信できる。さらに、当業者により理解されるように、ここで記述したシステムの構成部品は、それらに関して記述した、さまざまな観点、目標、利点等を達成することを容易にするために、追加の構成部品により、再配列されてもよく、および／または補完されてもよく、所定の図中で示した厳密な構成に限定されない。
【００１７】
さらに、加入者局と関連して、さまざまな実施形態をここで記述する。加入者局は、システム、加入者ユニット、移動局、移動体、リモート局、アクセスポイント、リモート端末、アクセス端末、ユーザ端末、ユーザエージェント、ユーザデバイス、またはユーザ機器と呼ばれることもある。加入者局は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続機能を有するハンドヘルドデバイス、またはワイヤレスモデムに接続される他の処理デバイスとすることができる。
【００１８】
さらに、標準プログラミングおよび／または工学技術を使用する方法、装置、または製造品として、ここで記述したさまざまな観点または特徴を実現できる。ここで使用する用語“製造品”は、任意のコンピュータ読み取りデバイス、キャリア、または媒体からアクセス可能なコンピュータプログラムを含むように意図されている。例えば、コンピュータ読み取り可能媒体は、磁気記憶デバイス（例えば、ハードディスク、フロッピー（登録商標）ディスク、磁気ストリップなど）、光ディスク（例えば、コンパクトディスク（ＣＤ）、デジタルバーサタイルディスク（ＤＶＤ）など）、スマートカード、およびフラッシュメモリデバイス（例えば、カード、スティック、キードライブなど）を含むが、それらに限定されない。さらに、ここで記述したさまざまな記憶媒体は、情報を記憶するための１つ以上のデバイスおよび／または他の機械読み取り可能媒体を表すことができる。用語“機械読み取り可能媒体”は、命令および／またはデータを記憶、包含、および／または搬送できる、ワイヤレスチャネルおよびさまざまな他の媒体を含むことができるが、それらに限定されない。語“例示的”が“例、具体例、または実例としての機能を果たすこと”を意味するためにここで使用されていることが理解されるだろう。“例示的”としてここで記述する任意の実施形態または構成は、他の実施形態または構成と比較して、好ましい、または有利であるものとして必ずしも解釈すべきでない。
【００１９】
最初に、図１を参照すると、（例えば、リバースリンク上の）例示的なメッセージ交換スキーム１００が図示されており、割り当てが（例えば、受信側ノード）“ＡＮ”によりデコードされないとき、例示的なメッセージ交換スキーム１００は、そのような割り当ての即座の再送信を行うことにより通信を容易にする。一般的に、リバースリンク上で、割り当てが送信されており、“ＡＮ”が首尾よく割り当てをデコードする場合、そのようなデコーディングは肯定応答信号（例えば、割り当て肯定応答−“ＡＣＫ”）として機能できる。さらに、割り当てにおいてデコードできない場合は、一般に、デコードが失敗しているかどうか、またはアクセス端末（ＡＴ）が割り当てを取りそこなっているかを明瞭に示さず、それゆえに本主題のイノベーションの１つの実施形態は、即座に割り当ての再送信を行う。このようなものは、割り当てが受信されたこと“はい”または割り当てが受信されなかったこと“いいえ”をＡＴが示す必要性を緩和する。したがって、ＡＮが割り当てをデコードしない場合、割り当てが再送信されて、リクエストの待ち時間をなくすことができる。
【００２０】
メッセージ交換スキーム１００は、（例えば、アクセスノードのような）受信側ノードおよび（例えば、アクセス端末のような）送信側ノードからの送信に関係する。１つの特定の実施形態において、１１０において、タイムスロット１中で、送信側ノードは受信側ノードにリクエストを送信できる。１１２において、受信側ノードはタイムスロット２中で、送信側ノードに許可を行う。このような許可は、例えば、割り当て電力および／または割り当てチャネル（例えば、チャネル識別子（ＩＤ））を含むチャネルリソースを割り当てることができる。チャネルは、周波数帯域（例えば、利用できる帯域の、ある副搬送波）、タイムスロット（例えば、トラフィックスロットの、ある副スロット）、拡散コード割り当て、これらについての組み合わせ、あるいはこれらに類似するものとすることができる。さらに、許可は追加的に、または代わりに、ハイブリッド自動再送要求（ＨＡＲＱ）に関係付けられた情報を含むことができる。例えば、許可は、ＨＡＲＱフラグメント番号、データ（例えば、ビット、など）を含むことができ、ＨＡＲＱフラグメント番号、データ（例えば、ビット、など）は、送信機が、新しいパケット、古いパケットのＨＡＲＱ再送信、およびこれらに類似するものを送信すべきかどうかを示す。
【００２１】
次に１１４において、送信側ノードは、タイムスロット３中で、割り当て電力および／または割り当てチャネルを使用することによりパイロットを送信できる。受信側ノードはさらに、タイムスロット３中で送信側ノードから取得したパイロットに基づいてメッセージを分析できるだけでなく、例えば、タイムスロット３中でパイロットを同時に送信する異なるノードにより生じることがある付加的な干渉も分析できる。
【００２２】
１１６において、タイムスロット４中で、受信側ノードから送信側ノードへのレート割り当てを通信できる。このようなレート割り当ては、変調フォーマット、コーディングフォーマット、およびこれらに類似するものに関連付けることができる。送信側ノードは、タイムスロット２中で取得した許可において割り当てられた電力および／またはチャネル、ならびにタイムスロット４中で提供されたレート割り当てにおいて割り当てられたレートを用いて、その後、受信側ノードにデータを送信できる。任意の数の追加的なノードのペアが、メッセージ交換スキーム１００を同時に利用できることを理解すべきである。例えば、メッセージ交換スキーム１００は、任意の数のノードのペア間で、同期の送信を行うことを可能にする。
【００２３】
したがって、（例えば、ネットワーク中で作動するリバースリンクスケジューラに対して）送信すべきデータ量および必要とするサービスの質を指定するＡＴによるリクエストメッセージに応答して、ＡＮはリバースリンクへの割り当てを達成でき、パケットが受信されないとき、（どのパケットも受信されていないのに）リクエストがまだ有効であることをシステムは仮定し、新しいリクエストが要求されることなく、新しい割り当てを即座に送信する。したがって、同一の割り当てを再度割り当てることにより、“ＡＴ”が別のリクエストを実施する必要性が緩和される。同時に、リバースリンク上でのパッケージの適正な“ＡＮ”デコーディングは、そのような割り当てが正しく受信された確認として示すことができ、その時点で、そのような割り当てにおいてデコードに失敗する場合、割り当ての再送信は、もはや必要ではなくなっている。
【００２４】
図２は、本主題のイノベーションの特定の実施形態にしたがって、割り当て構成部品２１２により割り当ての即座の再送信を実現するリバースリンク中のスケジューラを図示する。リバースリンクスケジューラ構成部品２１０は、ワイヤレスネットワーク２０４とユーザデバイス２０６とのそれぞれに動作可能に結合されている。ワイヤレスネットワーク２０４は、１つ以上の基地局、トランシーバ、およびこれらに類似するものを備えることができ、１つ以上の基地局、トランシーバ、およびこれらに類似するものは、１つ以上のユーザデバイス２０６からの通信信号を送信および受信する。さらに、ＯＦＤＭプロトコル、およびＯＦＤＭＡプロトコル、ＣＤＭＡプロトコル、ＴＤＭＡプロトコル、これらについての組み合わせ、または他の任意の適切なワイヤレス通信プロトコルに関連して、ワイヤレスネットワーク２０４は、ユーザデバイス２０６に通信サービスを提供できる。ユーザデバイス２０６は、例えば、セルラ電話機、スマートフォン、ＰＤＡ、ラップトップ、ワイヤレスＰＣ、またはユーザがワイヤレスネットワーク２０４と通信できる他の任意の適切な通信デバイスとすることができる。
【００２５】
リバースリンクスケジューラ構成部品２１０は、パケットベースのスケジューラとすることができ、（例えば、図１に関して上で示したような）リンク割り当てを実現して、1つ以上のユーザデバイス２０６に対してリンク割り当ておよび／または周波数設定割り当てを容易にすることができる。例えば、作動するリバースリンクスケジューラ２１０に対して送信すべきデータ量を指定し、必要とするサービスの質を指定する、ＡＴによるリクエストメッセージに応答して、次にＡＮはリバースリンクに対して割り当てを提供できる。パケットが受信されない場合、（どのパケットも受信されていないのに）リクエストがまだ有効であることをシステムが仮定し、新しいリクエストが要求されることなく、新しい割り当てを即座に送信する。したがって、同一の割り当てを再度割り当てることにより、“ＡＴ”が別のリクエストを実施する必要性が緩和される。同時に、リバースリンク上でのパッケージの適正な“ＡＮ”デコーディングは、そのような割り当てが正しく受信された確認として機能を果たすことができ、その時点で、そのような割り当てにおいてＡＮがデコードに失敗する場合、割り当ての再送信は、もはや必要ではない。
【００２６】
図３は、関連する実施形態を図示し、割り当てのリクエストに対する予め定められた数の試行の際に、別のリソースを選択できる。さらに、割り当てリクエストを停止するために、割り当て解除メッセージをＡＴに送信することもできる。図３中で図示したように、ここで提示したさまざまな実施形態が動作できる方法の理解を容易にするために、Ｎ個のグループのシステムリソースブロック３００（ここでＮは整数である）が描写されている。このようなリソースブロック３００は、例えば、送信チャネル、タイムスロット、周波数、コードスロット、前述の組み合わせ、およびこれらに類似するものを表すことができる。このようなブロックのサブセットの一般的記述は、例えば、特定のユーザに割り当てられるブロックのリストのような、ブロックインデックスリストとすることができる。
【００２７】
実施形態にしたがうと、割り当てリクエストに対して実行される予め定められた数の試行の際に、デクリメント割り当てを発生および／または用いてリソースブロック管理を容易にすることができる。例えば、デクリメント割り当ては、暗黙的または明示的とすることができる。したがって、明示的なデクリメント割り当てが、ユーザの割り当てから除去されるべきユーザの既存の割り当ての一部を指定できる一方で、暗黙的なデクリメント割り当ては、第１のユーザにより観測され、第１のユーザの割り当てと衝突する、別のユーザに対する割り当てとすることができる。後者のケースにおいて、第２のユーザに対するこのような衝突する割り当てメッセージは、デクリメント割り当てとして第１のユーザにより解釈できる。さらに、リソースまたは衝突するユーザの割り当てを解除し、同時に、意図されたユーザにそのようなリソースを割り当てる単一の割り当てを送信することにより、デクリメント割り当ての利用はさらに、ネットワークによる割り当てメッセージのオーバーヘッドの減少を容易にすることができる。割り当て解除により影響を受ける現在のすべてのユーザ（例えば、割り当ての意図された受信者だけでなく、現在のリソース割り当てが、新たに発生した割り当てにより割り当てられるリソースと衝突しているすべてのユーザ）により割り当てメッセージがデコードできるような方法で、デクリメント割り当てメッセージを送信することもできる。さらに、割り当てメッセージが、規定できる、関連するリソースのサブセットの数内に限定されるとき、デクリメント割り当ては、他のユーザへの既存の割り当てのためによる割り当ての制限を緩和することを容易にできる。例えば、新しい意図されたユーザに対するオーバーラップしているリソースの再割り当てのために、リソースが現在割り当てられている人に対する暗黙的なデクリメント割り当てとして、ユーザ割り当て間のオーバーラップを解釈できる。さらに、デクリメント割り当て送信許可は、ユーザに対する以前の割り当ての確認（例えば、リバースリンクを通した、パケットまたはシーケンスのデコードの成功の表示、フォワードリンクを通した肯定応答などのような、いくつかの確認データの受信）を前提とすることができる。このような方法において、このような割り当てをデクリメントする前に、ネットワークはユーザの割り当てを確認できる。
【００２８】
図４は、本主題のイノベーションの観点にしたがって、割り当てを再送信する方法４００を図示する。さまざまな事象および／動作を表す一連のブロックとして、例示的な方法をここで図示および記述しているが、本主題のイノベーションは、このようなブロックの図示した順序により限定されない。例えば、本イノベーションにしたがって、ここで図示した順序とは別に、いくつかの動作または事象は、異なる順序で、および／あるいは他の動作または事象と同時に生じてもよい。さらに、本主題のイノベーションにしたがって方法を実現するために、図示したブロック、事象または動作のすべてを必要としなくてもよい。さらに、ここで図示および記述した方法に関連してだけでなく、図示または記述していない他のシステムおよび装置に関連して、本イノベーションにしたがった例示的な方法および他の方法を実現してもよいことが理解されるだろう。最初に、４１０において、リクエストがアクセスノード（ＡＮ）に送信されている。続いて４２０において、ＡＮが割り当てにおいてデコードできるかどうかに関する決定が行われる。一般に、リバースリンクにおいて、割り当てが送信されており、“ＡＮ”が首尾よく割り当てをデコードする場合、４２５において図示したように、このようなデコーディングは肯定応答信号（例えば割り当て肯定応答信号“ＡＣＫ”）として機能できる。さらに、割り当てをデコードできない場合は、一般に、デコードに失敗しているのかどうか、またはアクセス端末（ＡＴ）が割り当てを取り損なっているのかどうかを明瞭に示さず、それゆえに、４３０において、本主題のイノベーションの１つの実施形態は、即座に割り当てを再送信する。４４０において、割り当てが受信されたこと“はい”、または割り当てが受信されなかったこと“いいえ”をＡＴが示す必要性をこのようなものは緩和する。
【００２９】
図５は、本主題のイノベーションの観点にしたがって、予め定められた数の繰返しに及ぶまで、割り当てを再送信する特定の方法５００を図示する。最初に５１０において、リクエストがアクセスノード（ＡＮ）により受信される。５２０において、そのようなＡＮは、ＡＴに割り当てを提供できる。次に、５３０において、全く同一の割り当てをＡＴに再送信できる。先に説明したように、方法５００は、ＡＴがその割り当てステータスを示す必要性を不要にできる。５４０において、割り当てに対する再送信の予め定められた数（例えば、Ｍ回、ここでＭは整数）が達成されているかどうかに関する決定が実施される。達成されている場合、５５０において、割り当てを再送信することが中止される。達成されていない場合、方法は動作５３０に戻り、ここで割り当てがＡＴに再送信される。
【００３０】
図６は、本主題のイノベーションの観点にしたがって、ＡＴに割り当てを再送信することを実現するワイヤレス通信システム６００を図示する。システム６００は、複数の基地局６１０と複数の端末６２０とを含むことができ、ここで記述した1つ以上の観点に関連して、複数の基地局６１０と複数の端末６２０とを用いることができる。基地局は、一般的に、端末と通信する固定局であり、アクセスポイント、ノードＢ、または他のいくつかの用語で呼ばれることもある。それぞれの基地局６１０は、特定の地理的なエリア６０２に対して通信のカバレッジを提供する。用語“セル”は、その用語が使用される文脈に依存して、基地局および／またはそのカバレッジエリアに関係することがある。システムの容量を改善するために、基地局カバレッジエリアは、複数のより小さいエリア（例えば、３つのより小さいエリア）、すなわち６０４ａ、６０４ｂ、および６０４ｃに分割されてもよい。それぞれのベーストランシーバサブシステム（ＢＴＳ）により、それぞれのより小さいエリアを担当することができる。用語“セクタ”は、その用語が使用される文脈に依存して、ＢＴＳおよび／またはそのカバレッジエリアに関係することがある。セクタ化されたセルに対して、そのセルのすべてのセクタに対するＢＴＳが、通常、セルに対する基地局内で同じ位置に配置されている。セクタ化されていないセルをともなうシステムだけでなく、セクタ化されたセルをともなうシステムに対しても、ここで記述する技術を使用できる。簡単にするために、以下の記述において、用語“基地局”は、一般的に、セルを担当する固定局だけでなく、セクタを担当する固定局としても使用される。
【００３１】
端末６２０は通常、システム全体を通して分散しており、それぞれの端末は、固定されたもの、または移動性をもったものとすることができる。端末は、移動局、ユーザ機器、ユーザデバイス、または他のいくつかの用語で呼ばれることもある。端末は、ワイヤレスデバイス、セルラ電話機、パーソナルデジタルアシスタント（ＰＤＡ）、ワイヤレスモデムカード、など、とすることができる。任意の所定の時に、ダウンリンクおよびアップリンク上で、それぞれの端末６２０は、０、１つ、または複数の基地局と通信できる。ダウンリンク（またはフォワードリンク）は、基地局から端末への通信リンクに関係し、アップリンク（またはリバースリンク）は、端末から基地局への通信リンクに関係する。リバースリンクデータ通信は、１つのアクセス端末から１つ以上のアクセスポイントに発生することができ、割り当てがアクセスノード（“ＡＮ”）によりデコードされないとき、そのような割り当ての即座の再送信を行うことにより、通信を容易にすることができる。
【００３２】
図６中で図示したように、スケジューラ構成部品６１１は、基地局６１０、ユーザデバイス用の端末６２０に動作可能に結合されている。スティッキー構成部品６０４は、スティッキー割り当てを割り当てることができる。システム６００は、（スケジューラ構成部品６１１に動作可能に接続された）メモリ６１２およびプロセッサ６１４をさらに備えることができ、メモリ６１２およびプロセッサ６１４は、チャネルディザイラビリティアルゴリズム、メトリック、利用できる周波数セット、ユーザデバイス周波数割り当て、およびこれらに類似するものに関連した情報を記憶または処理する。プロセッサ６１４はスケジューラ構成部品６１１（および／またはメモリ６１２）に動作可能に接続されてディザイラビリティメトリック、周波数の繰り返し使用、およびこれらに類似するものに関連した情報の分析を容易にすることができる。プロセッサ６１４は、スケジューラ構成部品６１１により受信される情報を分析すること、および／または発生させることを専用とするプロセッサ、システム６００の１つ以上の構成部品を制御するプロセッサ、スケジューラ構成部品６１１により受信される情報を分析し、発生させ、システム６００の1つ以上の構成部品を制御するプロセッサのいずれかとすることができる。電力制御アルゴリズムにより、システム６００が送信電力を調整でき、または別のスケジューリングメトリックを更新できるように、メモリ６１２は付加的に、周波数割り当て、メトリック、およびこれらに類似するものを発生させることに関係付けられたプロトコルを記憶でき、それにより、電力制御アルゴリズムを通して、システム６００は送信電力を調整でき、または別のスケジューリングメトリックを更新できる。さらに、ここで記述したデータ記憶（例えば、メモリ）構成部品は、揮発性メモリまたは不揮発性メモリのいずれかとすることができ、または揮発性および不揮発性メモリの両方を含むことができることを理解すべきである。
【００３３】
例えば、不揮発性メモリは、読み出し専用メモリ（ＲＯＭ）、プログラム可能ＲＯＭ（ＰＲＯＭ）、電気的にプログラム可能ＲＯＭ（ＥＰＲＯＭ）、電気的に消去可能ＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。実例として、これに限定されないが、ＲＡＭは多くの形態で利用でき、例えば同期ＲＡＭ（ＳＲＡＭ）、ダイナミックＲＡＭ（ＤＲＡＭ）、同期ＤＲＡＭ（ＳＤＲＡＭ）、倍速データレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）がある。
【００３４】
図６中で図示したように、ＡＩ構成部品６１６をスケジューラ構成部品６１１と動作可能に関係付けることができ、割り当てを再送信するとき、および場合（例えば、そのような割り当てが、アクセスノードによりデコードされないとき）、ＡＩ構成部品６１６は、副搬送波に対する送信電力を調整することに関して推測を実施できる。ここで使用するとき、用語“推測する”または“推測”は一般的に、事象および／またはデータを通して取り込まれる１組の観測から、システム、環境、および／またはユーザ、の状態について理論的に考えること、または推測するプロセスに関係する。例えば、推測を用いて特定の情況または動作を識別でき、または状態に対して確率分布を発生させることができる。推測は、確率的、すなわち、データおよび事象の考慮に基づいた、関心のある状態に対する確率分布の計算とすることができる。推測はまた、１組の事象および／またはデータからより高いレベルの事象を構成するために用いられる技術に関係することもある。事象が時間的にきわめて接近して相関付けられていようとなかろうと、事象およびデータが１つまたはいくつかの事象およびデータ源から生じていようとなかろうと、このような推測は、１組の観測された事象および／または記憶された事象データから、新しい、事象または動作の構造を結果として生ずる。
【００３５】
例えば、ＡＩ構成部品６１６は、例えば、検出された衝突する割り当て、ＡＴに割り当てを再送信する予め定められた数の試行が生じているかどうか、およびこれらに類似するものに少なくとも部分的に基づいて、適切なデクリメント割り当ての受信者を推測できる。さらに、プロセッサ６１４および／またはメモリ６１２に関連して、リソースブロックが他のユーザにより制限および／または占有されているかどうかをＡＩ構成部品６１６は決定できる。また、例えば、潜在的な候補者のグループから、特定のユーザデバイスの割り当て解除候補者の選択に関して、ＡＩ構成部品６１６は費用便益分析に関する推測を実施できる。さらに、このような推測に少なくとも部分的に基づいて、デクリメント構成部品６０６は、デクリメントすべきユーザとして特定のユーザを識別でき、衝突する割り当てが確実に他のユーザに見えるようにできる。
【００３６】
別の例にしたがうと、別のユーザに対する、衝突している割り当てメッセージの送信の際に、ＡＩ構成部品６１６は、衝突しているユーザの割り当てを完全に解除するかどうかに関する推測を実施でき、または本主題のイノベーションの観点にしたがって、割り当てが再送信される回数に制限を設定できる。したがって、予め定められた数の試行の際に、別のリソースを次に選択できる。
【００３７】
図７は、ここで記述したさまざまな実施形態に関して用いることができるような、ある期間にわたって実施された一連の不変の、すなわち“スティッキー”な割り当て７００の実例である。例えば、最初の時間フレーム中で、ユーザ１ないしＮ（ここでＮは整数である）に第１組の割り当てを送信でき、１つ以上のそれに続く割り当てが、１人以上の個々のユーザに送信されるまで、このような割り当ては持続できる。したがって、（例えば、副搬送波の予期される電力要求に対する予測の変更のため）このような割り当てにおいて変更が望まれる、および／または必要になるまで、第１組のＮ個の割り当ては、すべてのユーザに対してシステムリソースの割り当てを十分提供できる。ｔ３において図示したように、周波数Ｄが利用可能になる場合、Ｕ６のような後のユーザに周波数Ｄを割り当てることができる。したがって、スティッキーでない割り当てを用いるときよりも、ネットワークに対してより少ない割り当てメッセージを送信する必要しかない。本主題のイノベーションは通常、スティッキー割り当てに関して、割り当て肯定応答メッセージに対する必要性をなくすことができるが、このようなメッセージは貴重なリソースを利用する。例えば、ＲＬにおいて、ＡＮがパケットをデコードする場合、割り当て肯定応答メッセージの補助なしに、移動ユニット（例えば、ユーザデバイス）が割り当てを受信していることをＡＮは認識する。代わりに、ＡＮが、無効にされた割り当てにおいてパケットのデコードに失敗する場合、ＡＮは割り当てメッセージを再送信する。このような移動ユニットが割り当てを全く取り損なう場合、ＡＮは通常、実際に割り当てメッセージを再送信する必要があり、それゆえに、このような送信は追加の負担ではなく、追加のリソースを消費しない。同様に、ＡＮがチャネル不良のためデコードに失敗する場合、再送信される割り当てメッセージは、パケットを再送信するための移動ユニットに対する表示として機能を果たすことができる。同様に、パケットの開始（ＳＯＰ）が取り損なわれているためＡＮがデコードに失敗する場合、再送信される割り当てメッセージは、ＡＮと移動ユニットとを同期させる。
【００３８】
さらに、図７中に図示したように、ユーザが追加のリソースを必要とする場合、任意のユーザ１ないしＮに利用可能なシステムリソースを割り当てることができる。例えば、周波数Ｅに加えて、ネットワークを通して通信中のある時間において、Ｕ５が追加の周波数の利用を必要とすることを決定できる。周波数ＥおよびＦがＵ５に割り当てられることを示すために、Ｕ５に後続する割り当てメッセージを送信できる。さらに、ここで詳述したさまざまな実施形態に関連して、Ｕ５に周波数を再度割り当てるとき、ネットワークリソースの消費を緩和するために、そのような追加の割り当てメッセージは、補助的な割り当てとすることができる。
【００３９】
図８は、本主題のイノベーションの観点にしたがった特定の方法８００を図示し、割り当てリクエストを停止するために、割り当て解除メッセージがＡＴに送信される。最初に、８１０において、リクエストはアクセスノード（ＡＮ）により受信される。８２０において、そのようなＡＮは、次に、ＡＴに割り当てを供給できる。続いて８３０において、実質的に全く同一の割り当てをＡＴに再送信できる。このようなものは、割り当てが受信されたこと“はい”または割り当てが受信されなかったこと“いいえ”をＡＴが示す必要性を緩和する。８４０において、ＡＴに対するメッセージ再送信の停止を要求するために、割り当て解除メッセージを提供できる。したがって、８５０において、再送信割り当てを中止できる。
【００４０】
図９は、本主題のイノベーションのさまざまな観点を実行する複数のモジュールを組み込む装置である。用語モジュールは、コンピュータ関連エンティティ、ハードウェア、ハードウェアおよびソフトウェアの組み合わせ、ソフトウェア、または実行中のソフトウェアだけでなく、電気機械的構成部品に関係することもある。例えば、モジュールは、プロセッサ上で実行するプロセス、プロセッサ、オブジェクト、実行ファイル、実行のスレッド、プログラム、およびコンピュータとすることができるが、それだけに限られない。実例として、サーバ上で実行するアプリケーションおよび／またはサーバは、モジュールとすることができる。さらに、モジュールは1つ以上の副構成部品を含むことができる。さらに、単一のプロセッサまたは複数のプロセッサコンピュータシステム、ミニコンピュータ、メインフレームコンピュータだけでなく、パーソナルコンピュータ、ハンドヘルド計算デバイス、マイクロプロセッサベースの、および／またはプログラム可能民生用電子機器、およびこれらに類似するものを含む、他の計算システム構成により、本発明の方法が実施されてもよく、それらのそれぞれは、１つ以上の関係付けられたデバイスと動作可能に通信してもよいことを当業者は理解するだろう。図９中で図示したように、装置９００は、モジュール９１０を含むことができ、モジュール９１０はアクセスノード（ＡＮ）を通してリクエストを受信できる。次に、ＡＴに割り当てを送信するモジュール９２０は、そのようなＡＴに割り当てを供給できる。分離したモジュール９６０もまた、リバースリンク上でそのような割り当てを供給できることを理解すべきである。続いて、ＡＴに割り当てを再送信するモジュール９３０により、実質的に全く同一の割り当てをＡＴに再送信できる。モジュール９３０はまた、最初の試行後に即座にチャネル割り当てを再送信できる。９４０の割り当て解除メッセージモジュールは、例えば、割り当て解除メセージを送信でき、ＡＴに対してメッセージを再送信することの停止を要求できる。したがって、割り当てを再送信することを中止するモジュール９５０は、割り当てを再送信することを中止できる。リソースを選択するモジュール９８０はリソースを選択でき、そのようなモジュール９８０により、再送信のための予め定められた数の試行の際に、別のリソースを選択できる。また、例えば、アクセスノード（“ＡＮ”）がチャネル割り当て／スティッキー割り当てにおいてデコードしないとき、モジュール９８５は、リバースリンク上でそのような割り当てを許可できる。さらに、モジュール９９５は、さまざまなユーザが一般的に割り当て解除されるべきときを推測できる。さらに、ＡＮが割り当てにおいてデコードするかどうかをモジュール９９７は決定できる。
【００４１】
先に説明したように、割り当てにおいてデコードできない場合は、一般に、デコードに失敗しているのかどうか、またはアクセス端末（ＡＴ）が割り当てを取り損なっているのかどうかを明瞭に示さず、それゆえに、本主題のイノベーションの１つの実施形態は、モジュール９３０により即座に割り当てを再送信する。これにより、割り当てが受信されたこと“はい”、または割り当てが受信されなかったこと“いいえ”をＡＴが示す必要性が緩和される。したがって、ＡＮが割り当てにおいてデコードしない場合、そのような割り当ては再送信され（例えば、ＡＮによる割り当てにおけるデコードが失敗したときに、即座に割り当てを再送信する）、リクエスト待ち時間をなくすことができる。
【００４２】
図１０は、本主題のイノベーションのさまざまな観点にしたがってリンク割り当てを容易にするユーザデバイス１０００の実例である。ユーザデバイス１０００は受信機１００２を備え、受信機１００２は、例えば、（示していない）受信機アンテナから信号を受信して、受信した信号について一般的な動作を実行し（例えば、フィルタリングする、増幅する、ダウンコンバートする、など）、調整された信号をデジタル化してサンプルを取得する。受信機１００２は、例えば、ＭＭＳＥ受信機とすることができ、復調器１００４を備えることができ、復調器１００４は受信したシンボルを復調して、それらをチャネル推定のためにプロセッサ１００６に提供できる。プロセッサ１００６は、受信機１００２により受信した情報を分析すること、および／または送信機１０１６により送信する情報を発生させることを専用とするプロセッサ、ユーザデバイス１０００の1つ以上の構成部品を制御するプロセッサ、および／または受信機１００２により受信した情報を分析し、送信機１０１６による送信のための情報を発生させ、ユーザデバイス１０００の１つ以上の構成部品を制御するプロセッサとすることができる。
【００４３】
ユーザデバイス１０００は付加的にメモリ１００８を備えることができ、メモリ１００８は、プロセッサ１００６に動作可能に結合され、送信すべきデータ、受信したデータ、利用可能なチャネルに関する情報、分析した信号および／または干渉強度に関係付けられたデータ、割り当てられたチャネルに関連した情報、電力、レート、あるいはこれらに類似するもの、チャネルを推定し、およびチャネルを通して通信するための他の任意の適切な情報を記憶してもよい。（例えば、性能ベースで、容量ベースで、など）チャネルを推定すること、および／または利用することに関係付けられたプロトコルおよび／またはアルゴリズムをメモリ１００８は付加的に記憶できる。
【００４４】
ここで記述したデータ記憶装置（例えば、メモリ１００８）は、揮発性メモリまたは不揮発性メモリのどちらでもよく、あるいは揮発性および不揮発性メモリの両方を含んでもよいことが理解される。実例として、これに限定されないが、不揮発性メモリは、読み出し専用メモリ（ＲＯＭ）、プログラム可能ＲＯＭ（ＰＲＯＭ）、電気的にプログラム可能ＲＯＭ（ＥＰＲＯＭ）、電気的に消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。実例として、これに限定されないが、ＲＡＭは多くの形態で利用でき、例えば同期ＲＡＭ（ＳＲＡＭ）、ダイナミックＲＡＭ（ＤＲＡＭ）、同期ＤＲＡＭ（ＳＤＲＡＭ）、倍速データレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）がある。本主題の、システムおよび方法のメモリ１００８は、これらに限定されず、これらおよび他の任意の適当なタイプのメモリを具備するように意図されている。
【００４５】
受信機１００２はさらにリソース割り当て器１０１０に動作可能に結合されており、リソース割り当て器１０１０は（例えば、リクエスト、パイロット、など）取得しているデータに応答してリソースを割り当てる。例えば、受信機１００２はリクエストを受信して、リクエストおよび／またはリクエストに関係付けられた情報をリソース割り当て器１０１０に提供してもよい。リクエストおよび／またはリクエストに関係付けられた情報に応答して、将来のデータ送信に関連して、リソース割り当て器１０１０は（異なるノードにより）利用すべきリソースを識別してもよい。実例として、割り当てられるリソースは、チャネル、電力、およびこれらに類似するものであってもよい。
【００４６】
さらに、信号分析器１０１２が、受信機１００２により取得されるパイロットだけでなく、何らかの干渉を評価してもよい。信号分析器１０１２は、パイロットの強度、干渉の強度、およびこれらに類似するものを決定してもよい。さらに、信号分析器１０１２は、受信した送信信号（例えば、パイロット）に関係付けられた信号対干渉雑音比（ＳＩＮＲ）を推定してもよい。リソース割り当て器１０１０は、ＳＩＮＲを利用して将来の送信のために利用すべきレート（例えば、コーディングフォーマット、変調フォーマット、など）を割り当ててもよい。ユーザデバイス１０００はさらに変調器１０１４および送信機１０１６を備え、送信機１０１６は、例えばアクセスポイント、別のユーザデバイス、などに信号を送信する。プロセッサ１００６から分離しているように描写されているが、リソース割り当て器１０１０、信号分析器１０１２および／または変調器１０１４は、プロセッサ１００６、または（示していない）多数のプロセッサの一部であってもよいことを理解すべきである。
【００４７】
図１１は、例示的なワイヤレス通信システム１１００を示す。簡潔にするために、ワイヤレス通信システム１１００は、１つのアクセスポイントおよび１つの端末を描写する。しかしながら、システムは１つより多いアクセスポイントおよび／または１つより多い端末を含むことができ、追加的なアクセスポイントおよび／または端末は、以下で記述する例示的なアクセスポイントおよび端末と実質的に類似または相違してもよいことを理解すべきである。
【００４８】
図１１中で図示したように、アクセスポイント１１０５におけるダウンリンク上で、送信（ＴＸ）データプロセッサ１１１０は、トラフィックデータを受け取り、フォーマットし、コード化し、インターリーブし、および変調（またはシンボルマッピング）し、変調シンボル（“データシンボル”）を提供する。シンボル変調器１１１５は、データシンボルとパイロットシンボルとを受け取って処理し、シンボルのストリームを提供する。シンボル変調器１１１５は、データおよびパイロットシンボルを多重化し、送信機ユニット（ＴＭＴＲ）１１２０にそれらを提供する。それぞれの送信シンボルは、データシンボル、パイロットシンボル、またはゼロの信号値であってもよい。パイロットシンボルは、それぞれのシンボル期間中に連続して送られてもよい。パイロットシンボルを、周波数分割多重化（ＦＤＭ）、直交周波数分割多重化（ＯＦＤＭ）、時分割多重化（ＴＤＭ）、周波数分割多重化（ＦＤＭ）、またはコード分割多重化（ＣＤＭ）することができる。
【００４９】
ＴＭＴＲ１１２０は、シンボルのストリームを受け取り、１つ以上のアナログ信号に変換し、さらにアナログ信号を調整して（例えば、増幅し、フィルタリングし、および周波数アップコンバートする）、ワイヤレスチャネルに対して送信するのに適したダウンリンク信号を発生させる。ダウンリンク信号は次にアンテナ１１２５を通して端末に送信される。端末１１３０において、アンテナ１１３５はダウンリンク信号を受信し、受信機（ＲＣＶＲ）１１４０に対して、受信された信号を提供する。受信機１１４０は、受信された信号を調整し（例えば、フィルタリングし、増幅し、および周波数ダウンコンバートする）、調整された信号をデジタル化してサンプルを取得する。シンボル復調器１１４５は、受信されたパイロットシンボルを復調し、チャネル推定のためにプロセッサ１１５０に提供する。シンボル復調器１１４５は、プロセッサ１１５０からダウンリンクに対する周波数応答推定をさらに受け取り、受信されたデータシンボルにデータ復調を実行して（送信されたデータシンボルの推定である）データシンボル推定を取得し、受信データプロセッサ１１５５に対してデータシンボル推定を提供し、受信データプロセッサ１１５５は、データシンボル推定を復調し（すなわち、シンボルデマップし）、デインターリーブし、デコードして、送信されたトラフィックデータを復元する。シンボル復調器１１４５および受信データプロセッサ１１５５による処理は、それぞれ、アクセスポイント１１０５におけるシンボル変調器１１１５および送信データプロセッサ１１１０による処理と相補関係にある。
【００５０】
アップリンク上で、送信データプロセッサ１１６０はトラフィックデータを処理して、データシンボルを提供する。シンボル変調器１１６５はデータシンボルを受け取ってパイロットシンボルと多重化し、変調を実行し、シンボルのストリームを提供する。送信機１１７０は次にシンボルのストリームを受け取って処理してアップリンク信号を発生させ、アップリンク信号は、アンテナ１１３５によりアクセスポイント１１０５に送信される。
【００５１】
アクセスポイント１１０５において、端末１１３０からのアップリンク信号はアンテナ１１２５により受信され、サンプルを取得するために受信機１１７５により処理される。シンボル復調器１１８０は次にサンプルを処理し、アップリンクに対する受信されたパイロットシンボルおよびデータシンボル推定を提供する。受信データプロセッサ１１８５はデータシンボル推定を処理して端末１１３０により送信されたトラフィックデータを復元する。プロセッサ１１９０は、アップリンク上で送信しているそれぞれのアクティブ端末に対するチャネル推定を実行する。複数の端末は、それぞれの割り当てられた組のパイロット副帯域におけるアップリンク上で同時にパイロットを送信してもよく、パイロット副帯域の組はインタレースされてもよい。
【００５２】
プロセッサ１１９０および１１５０は、それぞれアクセスポイント１１０５および端末１１３０における動作を命令する（例えば、制御し、調整し、管理するなど）。それぞれのプロセッサ１１９０および１１５０は、プログラムコードおよびデータを記憶する（示していない）メモリユニットと関係付けることができる。プロセッサ１１９０および１１５０はそれぞれ、計算を実行してアップリンクおよびダウンリンクに対する周波数およびインパルス応答推定を導くこともできる。
【００５３】
多元接続システム（例えば、ＦＤＭＡ、ＯＦＤＭＡ、ＣＤＭＡ、ＴＤＭＡ、など）のため、複数の端末は、アップリンク上で同時に送信できる。そのようなシステムに対して、異なる端末間でパイロット副帯域を共有してもよい。それぞれの端末に対するパイロット副帯域が全体の動作帯域（あるいは帯域エッジを除いて）にまたがるようなケースにおいて、チャネル推定技術を使用してもよい。それぞれの端末に対して周波数ダイバーシティを取得するために、このようなパイロット副帯域構造が望まれる。ここで記述した技術をさまざまな手段により実現してもよい。例えばこれらの技術を、ハードウェア、ソフトウェア、またはこれらの組み合わせ中で実現してもよい。ハードウェア実施のために、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、ここで記述した機能を実行するように設計された他の電子ユニット、またはこれらの組み合わせ内で、チャネル推定のために使用される処理ユニットを実現してもよい。ソフトウェアとともに、ここで記述した機能を実行するモジュール（例えば、手続き、関数など）を通して実施することができる。ソフトウェアコードをメモリユニット中に記憶し、プロセッサ１１９０および１１５０により実行してもよい。上述したものは1つ以上の実施形態の例を含む。もちろん、前述の実施形態を記述する目的のために、構成部品または方法のすべての考えられる組み合わせを記述することは可能ではないが、当業者の１人は、さまざまな実施形態の多くのさらなる組み合わせおよび置換が可能であることを認識するかもしれない。したがって、記述した実施形態は、すべてのこのような変更、修正および変形を包含することが意図されており、これらは添付された特許請求の範囲の精神および範囲内にある。その上、用語“含む”が詳細な説明または特許請求の範囲のどちらかで使用される限り、このような用語は、用語“具備する”が請求項中で移行語として使用されるときに解釈されるように用語“具備する”とある意味類似して包括的であることが意図されている。
【図面の簡単な説明】
【００５４】
【図１】図１は、本主題のイノベーションの実施形態にしたがった、アクセス端末（ＡＴ）とアクセスノード（ＡＮ）との間のワイヤレス通信を図示する。
【図２】図２は、本主題のイノベーションの観点にしたがって、割り当ての即座の再送信を実現するリバースリンクにおけるスケジューラを図示する。
【図３】図３は、割り当てリクエストに対する予め定められた数の試行の際に、複数のリソース間で選択される別のリソースを選択できる、関連する実施形態を図示する。
【図４】図４は、本主題のイノベーションの観点にしたがって、割り当てを再送信する方法を図示する。
【図５】図５は、本主題のイノベーションの観点にしたがって、予め定められた数の繰返しにより割り当てを再送信する特定の方法を図示する。
【図６】図６は、本主題のイノベーションの観点にしたがった、割り当ての再送信のためのワイヤレス通信システムのシステムを図示する。
【図７】図７は、本主題のイノベーションのさまざまな実施形態に関して用いることができるような、ある期間にわたって実施された一連のスティッキー割り当てを図示する。
【図８】図８は、本主題のイノベーションの観点にしたがって、割り当て解除メッセージを用いる関連する方法を図示する。
【図９】図９は、本主題のイノベーションのさまざまな観点を実行する複数のモジュールを組み込む装置に関連する図を図示する。
【図１０】図１０は、予期される電力要求の推測に基づいて、スケジューリングに関連して利用すべきチャネルを推定することおよび／またはレートを予測することを容易にするユーザデバイスを図示する。
【図１１】図１１は、本主題のイノベーションの観点にしたがって、電力要求の推測を用いることができる例示的なワイヤレス通信システムを図示する。
【図１】
2008547280.tif 000003
【図２】
2008547280.tif 000004
【図３】
2008547280.tif 000005
【図４】
2008547280.tif 000006
【図５】
2008547280.tif 000007
【図６】
2008547280.tif 000008
【図７】
2008547280.tif 000009
【図８】
2008547280.tif 000010
【図９】
2008547280.tif 000011
【図１０】
2008547280.tif 000012
【図１１】
2008547280.tif 000013
【国際調査報告】
2008547280.tif 000014
2008547280.tif 000015